(57)【要約】【課題】非接触記録媒体を有する容器であるが、繰り返しの使用できる容器を提供すること。【解決手段】液体を入れる容器であり、容器の底部に保護ユニットが埋め込まれ、保護ユニットの内部に非接触記録媒体が保持されている容器を用いる。また、非接触記録媒体を、位置規制部を有する保護ユニットに入れ込み、保護ユニットを金型に固定し、金型に樹脂またはガラスを流しこみ、保護ユニットを含む容器を作製する容器の製造方法であり、非接触記録媒体の下面に位置し、その一部が前記容器から露出している容器の製造方法を用いる。【選択図】図１
2017007681.tif 000002
【特許請求の範囲】
【請求項１】
前記容器に保護ユニットが埋め込まれ、
前記保護ユニットの少なくとも１部が前記容器の外面に露出され、
前記保護ユニットの内部に非接触記録媒体が保持されている容器。
【請求項２】
容器と、
前記容器の外面に保持され、非接触記録媒体を有する保護ユニットと、
前記保護ユニットを支える支え部と、を含み、
前記支え部は、前記容器と一体成形されている容器。
【請求項３】
前記容器の外面の前記保護ユニットの両端部に位置するガードがさらにある
請求項２記載の容器。
【請求項４】
前記保護ユニットは、前記容器の底面の外面、または、前記容器の側面の外面に配置されている請求項１記載の容器。
【請求項５】
前記容器は、容器本体と蓋とを含み、
前記保護ユニットは、前記容器本体と前記蓋との連結部分に位置する請求項１記載の容器。
【請求項６】
前記容器は、１層の構造からなる請求項１から５のいずれか１項に記載の容器。
【請求項７】
前記保護ユニットは、蓋部と、前記蓋部と組み合わされる保持部とからなり、前記保持部は、前記非接触記録媒体を位置規制し保持する請求項１〜６のいずれか１項に記載の容器。
【請求項８】
前記保護ユニットは、前記非接触記録媒体を樹脂シートにより覆ったものであり、
前記非接触記録媒体は位置規制され、保持される請求項１〜６のいずれか１項に記載の容器。
【請求項９】
前記保護ユニットは、外面に突起を有し、前記突起の一部が、前記容器外部へ露出する請求項１〜８のいずれか１項に記載の容器。
【請求項１０】
非接触記録媒体を、保護ユニットに入れ込む組立工程と、
前記保護ユニットを金型に固定するセット工程と、
前記金型に樹脂またはガラスを流しこみ、前記保護ユニットを含む容器を作製する成形工程と、を含む容器の製造方法であり、
前記非接触記録媒体は、その一部が前記容器から露出している容器の製造方法。
【請求項１１】
前記セット工程では、前記保護ユニットには、前記金型に位置合わせされる突起がある請求項１０記載の容器の製造方法。
【請求項１２】
前記成形工程の後、前記突起の少なくとも１部を削除する削除工程を、さらに有する請求項１０または１１記載の容器の製造方法。
【発明の詳細な説明】
【技術分野】
【０００１】
本発明は、容器とその製造方法に関する。特に、非接触記録媒体を有する容器とその製造方法に関する。
【背景技術】
【０００２】
近年は、容器の管理に、ＩＣチップとアンテナとが埋め込まれたＩＣタグ等の非接触記録媒体が用いられつつある。（特許文献１）。ところで、従来のＩＣタグ等の非接触記録媒体は、例えば、病院での検査のための容器に貼り付けられたり、物流コンテナ等の容器やパレットなどの壁面に貼り付けられたり、チェーン等の線材によって壁面に吊り下げられたりしている。
【０００３】
図１０に、従来の容器１３２の斜視図を示す。容器１３２には、上部に蓋１３１があり、容器本体１３６の側面に非接触記録媒体１１が張られている。非接触記録媒体１１としては、ＩＤ、または、ＲＦＩＤ（ｒａｄｉｏ  ｆｒｅｑｕｅｎｃｙ  ｉｄｅｎｔｉｆｉｅｒ）である。ＲＦＩＤは、アンテナと記録素子からなり、外部の書き込み装置によりデータを記録素子に書き込み、データが保存されている。非接触記録媒体１１に、容器の内容物に関する情報を書き込んだり、読み出したりして、内容物の管理、処理などをする。
【先行技術文献】
【特許文献】
【０００４】
【特許文献１】特開２００５−２５８３５１号公報
【発明の概要】
【発明が解決しようとする課題】
【０００５】
ここで、従来の非接触記録媒体１１を有する容器１３２では、繰り返しの使用の場合、非接触記録媒体１１が容器１３２から剥がれる場合があった。
この発明の課題は、非接触記録媒体１１を有する容器１３２であるが、繰り返しの使用できる容器を提供する。
【課題を解決するための手段】
【０００６】
上記課題を解決するために、容器に保護ユニットが埋め込まれ、保護ユニットの少なくとも１部が前記容器の外面に露出され、保護ユニットの内部に非接触記録媒体が保持されている容器を用いる。
また、容器と、容器の外面に保持され、非接触記録媒体を有する保護ユニットと、保護ユニットを支える支え部と、を含み、支え部は、容器と一体成形されている容器を用いる。
さらに、非接触記録媒体を、保護ユニットに入れ込む組立工程と、保護ユニットを金型に固定するセット工程と、金型に樹脂またはガラスを流しこみ、保護ユニットを含む容器を作製する成形工程と、を含む容器の製造方法であり、非接触記録媒体は、その一部が容器から露出している容器の製造方法を用いる。
【発明の効果】
【０００７】
本願発明の容器では、容器本体に、非接触記録媒体が埋め込まれて保持されている。このことで、非接触記録媒体の破損が少なく、長期間使用できる。
また、容器に対して、非接触記録媒体が、一定の位置、姿勢で保持される。このことで、非接触記録媒体のデータに関して、読み書きがミスなくされる。
【０００８】
また、保護ユニットが容器から露出していることで、外部からの非接触記録媒体へのデータの読み書きが容易に正確にできる。
【図面の簡単な説明】
【０００９】
【図１】（ａ）実施の形態１の容器の斜視図、（ｂ）（ａ）の底面部の拡大断面図
【図２】（ａ）〜（ｃ）実施の形態１の保護ユニットの各部材の斜視図、（ｄ）実施の形態１の保護ユニットの断面図、（ｅ）実施の形態１の保護ユニットの斜視図
【図３】（ａ）〜（ｃ）実施の形態１の容器の製造工程を示す断面図
【図４】（ａ）実施の形態１の容器を読み取り器に配置した断面図、（ｂ）（ａ）の底部の拡大断面図
【図５】（ａ）〜（ｂ）実施の形態２の容器の断面図
【図６】（ａ）実施の形態３の容器の斜視図、（ｂ）実施の形態３の保護ユニットの断面図、（ｃ）実施の形態３の容器の製造途中での保護ユニット部分の断面図、（ｄ）実施の形態３の容器の保護ユニット部分の断面図
【図７】（ａ）〜（ｇ）実施の形態４の保護ユニットと容器との関係を説明する断面図
【図８】（ａ）実施の形態５の保護ユニットと容器との関係を説明する平面図、（ｂ）（ａ）の側面図、（ｃ）（ａ）の保護ユニットの側面図、（ｄ）（ａ）の側面図、（ｅ）（ａ）の保護ユニットの平面図
【図９】（ａ）実施の形態６の容器の突起を除去する前の平面図、（ｂ）実施の形態６の容器３２の突起１３を除去する前の正面図、（ｃ）実施の形態６の容器３２の突起１３を除去する前の側面図、（ｄ）実施の形態６の容器の断面図、（ｅ）実施の形態６の別の容器３２の平面図、（ｆ）実施の形態６の別の容器３２の正面図、（ｇ）実施の形態６の別の容器３２の側面図
【図１０】従来容器の斜視図
【発明を実施するための形態】
【００１０】
（実施の形態１）
実施の形態１の容器３２の斜視図を、図１（ａ）に示す。非接触記録媒体を内部に含む保護ユニット３０が、容器３２の底に埋め込まれている。図１（ｂ）は、保護ユニット３０が位置する、容器本体３６の底部の断面図である。
【００１１】
＜保護ユニット３０＞
保護ユニット３０は、蓋１０と、保持部１２と、非接触記録媒体１１とを含む。さらに、蓋１０には、保持部１２と組み合わされる突起２３がある。
保護ユニット３０は、非接触記録媒体１１を保護するための樹脂の容器である。蓋１０と保持部１２とが組み合わされ、箱のように、内部に非接触記録媒体１１を保持し、保護する。
【００１２】
保持部１２に非接触記録媒体１１を、その位置を規制し保持する凹部がある。
凹部は、保護ユニット３０の下部の中央に位置する。
図２（ａ）〜図２（ｅ）で、それぞれの部材を示す。
【００１３】
図２（ａ）は、蓋１０である。外周の下面に突起２３（図２（ａ）では見えない）がある。保持部１２と組み合わされる。
図２（ｂ）は、非接触記録媒体１１である、ＲＦＩＤなど、非接触で、データの書き込みができ、データを読み出しできる。後で示すが、データを送信、受信するアンテナを付属させてもよい。
【００１４】
図２（ｃ）は、保持部１２である。蓋１０と組み合わされる部材である。外周に凹部２１があり、蓋１０の突起２３が入り込む。中央に凹部２２があり、非接触記録媒体１１が、入れられる。非接触記録媒体１１の上下左右の位置が規制される。この突起２３、凹部２２とで、非接触記録媒体１１が外部から遮断される。製法のところで示すが、金型での樹脂成形時に、樹脂が保護ユニット３０内に入り込まない。内の非接触記録媒体は、樹脂の熱を受けない。非接触記録媒体１１が、蓋１０と保持部１２とで挟まれるだけ（接着剤など不使用）、外部から遮断される。非接触記録媒体１１の保護がされる。非接触記録媒体１１には、部分的に外力がかかることがない。また、非接触記録媒体１１の位置、姿勢が目的位置、姿勢となる。
【００１５】
図２（ｄ）は、保護ユニット３０の容器３２へ挿入される前の状態（断面図）である。下部の突起１３は、後で説明するが、容器３２に挿入後カットされる。突起１３の高さＨは、蓋１０と保持部１２の厚みＡより大きい。後で説明するが、金型内で保護ユニット３０の位置を保持するためである。また、金型から取り出しやすいように、突起１３の形状は先に行くに従い単調に細くなる。または、その形状は、細長い棒状のものである。また、保護ユニット３０の位置を固定するため、突起１３の形状を、四角すい、四角すい台、角すい、角柱台、円柱、棒状でもよい。
【００１６】
図２（ｅ）は、保護ユニット３０が組み立てられた斜視図である。
＜製法＞
（１） 図２（ａ）〜図２（ｅ）で示した保護ユニット３０の蓋１０、保持部１２は、別途、樹脂成形で形成される。その中に非接触記録媒体１１を入れこみ、保護ユニット３０が完成する（図２（ｅ））。
【００１７】
（２）この保護ユニット３０を、容器３２に埋め込む方法を、図３（ａ）から図３（ｃ）の断面図を用いて説明する。
図３（ａ）は、容器３２を成形する金型の断面図である。金型４１には、保護ユニット３０の突起１３を入れ込む凹部がある。保護ユニット３０は、その位置を正確に規制される。成形樹脂が流れこんでも、保護ユニット３０の位置は変化しない。なお、ガラス製容器を作製する場合では、溶融したガラスを流し込む。
【００１８】
図３（ｂ）は、図３（ａ）で作製された容器３２である。容器３２に対して、保護ユニット３０の位置は正確に規定される。
図３（ｃ）は、図３（ｂ）の容器３２の下部の突起１３を除外した容器である。
【００１９】
保護ユニット３０の突起１３により、その保護ユニット３０の位置は、容器３２の所望の位置にセットできる。ここで、保護ユニット３０は、その一部が容器３２の外面に現れることが特徴である。また、容器３２は一層構造であることも特徴である。容器３２は一層のみであるが、外周に保護ユニット３０が埋め込まれている。二層構造の容器で、その間に保護ユニット３０を配置することは、従来技術である。ただし、２重構造であっても、この突起１３を用いる方法、構造を用いてもよい。
【００２０】
＜プロセス＞
図４（ａ）は、容器３２を読み取り器５０（リーダー）に置かれている断面図である。容器３２は、読み取り器５０の上に単に置かれるだけである。読み取り器５０は、容器３２の底の非接触記録媒体１１のデータを読み取ることができる。同様に、書き込み器により、データを書き込むこともできる。
【００２１】
図４（ｂ）は、図４（ａ）の底面の拡大図である。容器３２の保護ユニット３０が、読み取り器５０に対して、一定の場所に位置している。結果、保護ユニット３０内の非接触記録媒体１１も、読み取り器５０に対して、一定の場所に位置する。データが正しく、正確に、ミスなく、読み取られる。
なお、非接触記録媒体１１にデータを書き込む場合も同様に、書き込み器に対して容器３２を一定の場所に位置させることができる。
【００２２】
＜効果＞
非接触記録媒体１１は、保護ユニット３０の一定位置に、規定された状態で保持される。この結果、保護ユニット３０内の非接触記録媒体１１が、正確な位置に、定められた姿勢で保持される。非接触記録媒体１１のデータの読み込み、書き込みがミスなくできる。また、非接触記録媒体１１は外部から遮断され、長期間安定である。
【００２３】
さらに、容器３２の外周表面に保護ユニット３０の一部が現れる。このことで、容器３２を扱う場合に、容器３２が滑らない。外部から保護ユニット３０の位置がわかる。例えば、突起１３が中心に位置するなら、保護ユニット３０の中心位置が正確にわかる。
なお、以下の例でアンテナを付属させる場合には、保護ユニット３０の位置は大きく緩和される。
【００２４】
（実施の形態２）
図５（ａ）、図５（ｂ）に実施の形態２の容器の断面図を示す。実施の形態１との差異は、容器３２の底に凹部があり、その凹部に保護ユニット３０が配置されている。記載しない事項は実施の形態１と同様である。
【００２５】
図５（ａ）では、底部の一部に凹部が設けられている。図５（ｂ）では、凹部が底部に全体的にある。傾斜が緩やかな円錐の凹部である。
製法としては、図３（ａ）で、この形状に応じた金型を用いればよい。記載しない事項は他の実施の形態と同様である。
【００２６】
効果は、実施の形態１の効果に加えて、突起１３の除去が不要である。
なお、保護ユニット３０は、容器３２の底でなく、容器の別の場所でもよい。
（実施の形態３）
図６（ａ）に実施の形態３の容器の斜視図を示す。実施の形態１との差異は、保護ユニット３０とその配置場所である。保護ユニット３０を、図６（ｂ）の断面図に示す。図６（ｃ）は、保護ユニット３０を容器３２とともに成形した直後の保護ユニット３０の部分の断面である。最終は、図６（ｄ）に示すように、突起１３はなくなる。
【００２７】
保護ユニット３０の場所は、容器３２の底でなく、外部の側面、または、蓋３５と容器本体３６とをつなぐ場所に設ける。
保護ユニット３０は、実施の形態１と異なり、非接触記録媒体１１を、樹脂フィルムで上下から覆ったものである。２枚のシートで非接触記録媒体１１を上下から挟んでつつんでもよい。薄型で曲がる。そのため、容器３２の側面などへも入れ込むことができる。非接触記録媒体１１の周囲には、データ通信用のアンテナ回路を設けることができる。データの読み出し、書き込みが容易になる。
なお、突起１３と非接触記録媒体１１とは、別途、位置合わせされている。
【００２８】
製法としては、実施の形態１と同様である。記載しない事項は他の実施の形態と同様である。
効果は、実施の形態１の効果に加えて、非接触記録媒体１１ヶ薄いので、容器３２のいろいろな場所に非接触記録媒体１１を配置できる。非接触記録媒体１１の配置の自由度が増える。
【００２９】
（実施の形態４）
図７（ａ）〜図７（ｆ）にて、実施の形態４を説明する。図７（ａ）〜図７（ｃ）は、実施の形態１の保護ユニット３０と金型４１、容器３２との関係を説明する断面図である。金型４１は、容器３２の下面の部分のみ表示している。
保護ユニット３０が、金型４１にセットされ、樹脂などが金型４１にそそがれ、容器３２が形成される。突起１３を除去し、完成する。
【００３０】
一方、図７（ｄ）〜図７（ｆ）は、実施の形態４の保護ユニット３０と金型４１、容器３２との関係を説明する断面図である。実施の形態１との相違点は、保護ユニット３０の本体部分が、金型４１に接触していないことでさる。このため、最終の容器３２は、図７（ｆ）に示すように、保護ユニット３０の本体は、容器外面にでず、突起１３の一部が容器３２の外部にでる。
突起１３と、その突起１３が固定される金型４１の凹部との関係で上記が実施できる。
【００３１】
図７（ｇ）のように、突起１３を２つ設けると、保護ユニット３０が金型４１内で安定して位置できる。
製法としては、実施の形態１と同様である。記載しない事項は他の実施の形態と同様である。
【００３２】
効果は、実施の形態１の効果に加えて、保護ユニット３０の外部に現れる部分が少なく、長期間保護される。
（実施の形態５）
図８（ａ）〜図８（ｅ）で実施の形態５の容器３２を説明する。
図８（ａ）は、容器３２の平面図である。
図８（ｂ）、図８（ｄ）は、容器３２の側面図である。
図８（ｃ）は、図８（ｂ）の保護ユニット３０の側面図である。図８（ｅ）は、図８（ｄ）の保護ユニット３０の平面図である。
【００３３】
＜容器３２＞
容器３２は、テスト対象物や試験片などを保持できる四角柱状の凹部８２を有する。凹部８２は、側枠８３で囲まれている。側枠８３の外周には、ガード８４がある。また、側枠８３の１面には、保護ユニット３０がある。
【００３４】
＜保護ユニット３０＞
この例では２つの保護ユニット３０がある。少なくとも１つあればよい。ＩＣ部３０ａとアンテナ部３０ｂとを含む。ＩＣ部３０ａには、非接触記録媒体１１があり、アンテナ部３０ｂには、アンテナ８５がある。
【００３５】
２つの保護ユニット３０とも、棒状（ワイヤー状、ひも状）の支え部８１により、その側面が容器３２に固定されている。また、保護ユニット３０の端部には、ガード８４が位置する。このため、保護ユニット３０は、容器３２から取り外せない。また、支え部８１は、アンテナ部３０ｂより、ＩＣ部３０ａに相当する部分に多く配置されている。内部に位置するアンテナ８５により信号を、支え部８１に邪魔されずに受けるためである。
円柱状の保護ユニット３０（図８（ｂ））は、内部のアンテナ８５が円柱状体の側面に巻かれて形成されている（図８（ｃ））。アンテナ８５の長さを長くできる。通信距離が長くできる。
【００３６】
薄い四角柱の保護ユニット３０（図８（ｄ））は、上記と同様に、内部の平板状体に、アンテナ８５が形成されている。さらに、保護ユニット３０は、端子８６を端部に有してもよい。外部アンテナをこの端子８６に接続し、外部アンテナを容器３２の別の部分に配置できる。結果、信号を受けやすいアンテナなどを用いることができる。この場合には、アンテナ８５は、無くともよい。
【００３７】
＜製法＞
上記と同様に、金型４１に、保護ユニット３０を配置し、容器３２に相当する材料を金型４１に導入し容器３２を形成する。支え部８１、側枠８３、ガード８４も同時に樹脂形成される。
【００３８】
記載しない事項は他の実施の形態と同様である。
この例により、保護ユニット３０のアンテナ８５の部分の自由度を確保できる。非接触記録媒体１１と読み取り器５０、書き込み器との距離が離れているも、通信できる。また、上記同様、保護ユニット３０は、容器３２から取り外せないので、容器３２の内容物と非接触記録媒体１１のデータとは１対１の関係が確保できる。
【００３９】
（実施の形態６）
図９（ａ）〜図９（ｄ）で実施の形態６の容器３２を説明する。
図９（ａ）は、容器３２の突起１３を除去する前の平面図である。
図９（ｂ）は、容器３２の突起１３を除去する前の正面図である。
図９（ｃ）は、容器３２の突起１３を除去する前の分解側面図である。
図９（ｄ）は、容器３２の断面図である。
【００４０】
円筒形状の容器３２であり、蓋がある。側面に四角形の保護ユニット３０がある。保護ユニット３０は、容器３２の側面に合うように、曲面形状である。図２のように、保護ユニット３０は、凹凸により、組み合わされている。突起１３が２つ、両短辺の近くにある。上記で説明したように、製造時に容器３２に対して、保護ユニット３０の位置がずれないようにある。最終、突起１３は除去される。または、突起１３を小さくして容器３２に残してもよい。
【００４１】
図９（ｅ）〜図９（ｆ）で実施の形態６の別の容器３２を説明する。
図９（ｅ）は、容器３２の平面図である。
図９（ｆ）は、容器３２の正面図である。
図９（ｇ）は、容器３２の断面図である。
【００４２】
この例では、容器３２の下面の内側に保護ユニット３０を設けている。容器３２の内部の底は、凸状に膨らみ、その凸部に保護ユニット３０が内蔵されている。突起１３は、保護ユニット３０の対角線の端部２つにある。その他、上記と同様である。
記載しない事項は他の実施の形態と同様である。
【００４３】
（なお書き）
実施の形態は組み合わせることができる。
突起１３は、棒状のものに限られない。また、突起１３は、１つ、２つに限られず、多くともよい。
【産業上の利用可能性】
【００４４】
本願発明の容器は、いろいろな分野で、液体を処理する場合に利用できる。
【符号の説明】
【００４５】
１０  蓋
１１  非接触記録媒体
１２  保持部
１３  突起
２１  凹部
２２  凹部
２３  突起
３０  保護ユニット
３０ａ  ＩＣ部
３０ｂ  アンテナ部
３１  蓋
３２  容器
３５  蓋
３６  容器本体
４１  金型
５０  読み取り器
８１  支え部
８２  凹部
８３  側枠
８４  ガード
８５  アンテナ
８６  端子
１３１  蓋
１３２  容器
１３６  容器本体
【図１】
2017007681.tif 000003
【図２】
2017007681.tif 000004
【図３】
2017007681.tif 000005
【図４】
2017007681.tif 000006
【図５】
2017007681.tif 000007
【図６】
2017007681.tif 000008
【図７】
2017007681.tif 000009
【図８】
2017007681.tif 000010
【図９】
2017007681.tif 000011
【図１０】
2017007681.tif 000012